(57)【要約】      （修正有）【解決手段】管の分岐点もしくは角部での洗浄装置の通過性については、中間ノズル７を球状体にて接続する。また、管の高圧洗浄中に中間ノズルが管の外にある間、それを封緘する筒体２７を用いる。【効果】ホース間の中間ノズルの全長を大幅に短縮できる。ノズルの噴射角度は前方ホースの曲がり方向に順応し、後方ホースの方向に拘束されず、分岐部、小角部での推進がスムースになる。首振り自在の中間ノズルでホースのネジレに対するより戻し機能が働き、管内抵抗の減少に効果がある。封緘筒体を使用することによりホースに連結された管外の中間ノズルからの噴射ロスを抑えることができる。これにより菅の分岐点または角部での洗浄装置の旋回通過が容易となる。【選択図】図１
2005238136.tif 000002
【特許請求の範囲】
【請求項１】
水圧により管内洗浄を行うホースの中間に設ける方向自在のノズルであり、互いに球状体の凹凸部で摺動自在に嵌合する凹状殻体と凸状軸体に流路を形成し、該凹状殻体の球状底部の流路周辺部にヘッダー部を設け、ここから複数の噴射孔を殻体後方外部に開口するとともに、該凹状殻体と凸状軸体のそれぞれの端部にリューザブル方式でホース結合部を形成してなる管洗浄用ノズル装置。  
【請求項２】
高圧洗浄作業中、管外にある中間ノズルの噴射機能を一時的に封鎖するため、着脱自在の結合手段を有し、合わせ面に防水性弾性体を付設した筒体でノズルを封緘する請求項１記載の管洗浄用ノズル装置
【発明の詳細な説明】
【技術分野】
【０００１】
本発明は、排水管内の洗浄装置に関し、特に農業用地の地下排水路に用いられている管内を洗浄する技術に係わるものである。
【背景技術】
【０００２】
畑の排水用地下埋設管には内径が５センチ〜１５センチ程度の小径のもの（以下、小径管と称する）がある。
そのような小径管で分岐を有する配管の洗浄については、進行方向の自在な制御が可能な高圧洗浄用装置の先行技術がある。また、一般的に、１個の後方噴射ノズルによる管内洗浄では、管長が長くなるほどホースと管内壁と摩擦力が増加し、噴射ノズル孔の水没により噴射による推進力が低下することなどから、長い配管の洗浄が困難である。そのような課題については、次に示す推進力強化のための先行技術がある。
【特許文献１】特願２００３−２０２０４４
【特許文献２】特公平７−２４８１９
【発明の開示】
【発明が解決しようとする課題】
【０００３】
畑の排水用地下埋設管には内径が５センチ〜１５センチ程度の小径のもの（以下、小径管と称する）がある。このような小径管で分岐を有する管内を、自在に進行方向制御ができる洗浄装置の先行技術がある。しかしながら、一般に高圧洗浄装置では、連結されたホース長が長くなるほどノズルの必要牽引力が増大し、さらには、洗浄作業中、回転ドラムで巻き取り収納されているホースが管内に引き込まれる時にホース全体にネジレが生じ、ホースと管内面との摩擦抵抗が一層大きくなる。そのため、ホースの先端に取り付けられる１個の後方噴射ノズル装置では推進力不足となる。この場合の推進力強化のための先行技術があるが、小径管の場合、先行技術の装置では構造上、剛結合部分の長さが大きく、管の分岐点または小角部での洗浄装置の旋回通過が極めて困難である。また、先頭の洗浄用噴射ノズルの後に適当間隔で直列に連結される複数の洗浄用噴射ノズルのうち管内にまだ進入していないノズルでは、洗浄作業中、ホース中の流体物を無駄に噴射するばかりでなく、下流方向の流体圧力の不必要な低下を引き起こし管内にある洗浄用噴射ノズルの推進力を低下させることになり、その対策が課題である。
【課題を解決するための手段】
【０００４】
前述した管の分岐点もしくは角部での洗浄装置の通過性の問題については、中間ノズルを噴射ノズル部と自在継ぎ手部を一体化した特殊な構造とする。  また、管の高圧洗浄中に中間ノズルが管の外にある間の噴射ロスの解消には、それを封緘する筒体を用いることとする。
【発明の効果】
【０００５】
本発明に係る小径管の洗浄装置は、以上のように構成されているので以下に記載した効果を具現することができる。
ホース間の中間ノズルの全長を大幅に短縮できる。
ノズルの噴射角度は前方ホースの曲がり方向に順応し、後方ホースの方向に拘束されず、分岐部、小角部での推進がスムースになる。
首振り自在の中間ノズルでホースのネジレに対するより戻し機能が働き、管内抵抗の減少に効果がある。
封緘筒体を使用することによりホースに連結された管外の中間ノズルからの噴射ロスを抑えることができる。
これにより菅の分岐点または角部での洗浄装置の旋回通過が容易となる。このことは、管洗浄の実作業においてはきわめて重要なことである。
【実施例１】
【０００６】
本発明の最良な実施の形態であるが、これまで随所に述べてきた通り、内径5センチ程度の小径で、多くの分岐管を有し、しかも管路の配置状態が不明な地中の農業用暗渠配水管を洗浄・検査する場合の基本的な実施例を挙げ、図１を用いて説明する。
【０００７】
図１は本発明の中間ノズル(以下、「本器」ともいう)を用いた全体を示す図である。
この装置では、地上のモニターで地中にある装置前方の管内状況を見ながら屈曲方向を制御できる内視機能付方向制御装置（１）が第１ノズル（２）の進行方向を誘導し、その後方の噴射ノズルからの噴射推進力で前進する。しかしながら、管の長さが長くなるほどホースと管内面との摩擦力の増加や噴射孔の水没による噴射圧力の低下により洗浄装置の推進力は減少する。この減少を補うために、中間ノズル（７）を用いる。
本器は前リューザブル（４）、凹状殻体（５）、凸状軸体（１０）、後リューザブル（６）で構成される。
また、管洗浄装置が高圧洗浄作業中、まだ管外にある本器からの流体物を一時的に封緘する必要がありその筒状体器具としたのが封緘筒体（２７）である。
【０００８】
図２は本器の縦方向の断面図である。
凹状殻体（５）と凸状軸体（１０）、これは互いに球状体の凹凸部で摺動自在に嵌合する。いずれも中央には通水路としての通水孔（１３）を形成する。凹状殻体（５）の球状底部（９）の流路周辺部にヘッダー部（８）を設けて、通水孔から供給される圧力流体を圧力損失を抑えつつ複数の噴射孔に分配し、その後、複数の噴射孔（「ノズル孔」と称する）（１１）の先端にネジで取り付けたオリフィス（１２）を介して殻体後方外部に流体を噴射する。
【０００９】
この凹状殻体（５）には前リューザブル（４）、凸状軸体（１０）には後リューザブル（６）がそれぞれ螺着される。
【００１０】
本器の前後にはホース（３）が取り付けられる。この取り付けは直接ホースを、凹状殻体（５）と前リューザブル（４）、凸状軸体（１０）と後リューザブル（６）それぞれの螺着用ネジ部でねじ込み締め付けして連結され、その時、前リューザブル（４）もしくは後リューザブル（６）のテーパーネジ部のくさび効果でホースが金具に固定され、シールされる。
【００１１】
図３は前記従来の技術０００２の特許文献２の特公平７−２４８１９の先行技術の内容の一部を断面図で示したものである。この図の符号と同文献中の符合そのものは一致しないが符合の説明はそのまま引用した。
【００１２】
図４は、図１中の内視機能型方向制御装置の誘導によりホース（３）の方向をＸからＹの方向に変化させた場合を示したものである。これは管の分岐点または曲部で生ずる。
【００１３】
本発明に係る前述の該小径管の場合、図３に示す先行技術の構造では、分岐点または曲部では推進操作が非常に難しい。なぜなら、首振りの折れ曲がり点の前後のホース継ぎ手（１５）までの剛体部分の長さが大きいため、ホース装置のほぼ中央部にある首振り機能が有効に働かないからである。単に小型化するにしても、ホース径と管径の点で推進力の確保に制約があるため自ずと構造的に限度がある。
【００１４】
そこで本発明は図２に示す通り、凸状軸体（１０）と凹状殻体（５）を直接、互いに摺動自在に嵌合させている。
【００１５】
図５に示す通り、第１ノズル（２５）に後噴射孔（２６）を設けている先行技術の場合、管の曲がり部でＸからＹ方向に変化したとき、第１ノズル（２５）の後方のホースの方向に対しＡ−Ａの一定角度である。これに対し本発明は先端にオリフィス（１２）を螺着させているノズル孔（１１）の位置は凹状殻体に設けており、図４に示す通り、ＸからＹ方向に変化したとき、後方のホースに拘束されることなく、角度Ａ−Ａから角度Ｂ−Ｂに変化でき、曲がり部などの局所での進行および洗浄作動が極めてスムースになる。
【００１６】
また、前述の後リューザブル（６）の形状は凹状殻体（５）との接触する部分を極力丸みを設け本器の曲がり角度をより大きくすることができる。
【００１７】
ホース（３）との結合は、先行技術のようにホース継ぎ手（１５）を用いることなく、内側にネジ部を有する前・後のリューザブル（４）、（６）と外周にネジ部を有する凹状殻体（５）、凸状軸体（１０）とでそれぞれ、ホース壁（３−１）を直接、締め付け螺着する。
【００１８】
次に封緘用の筒体（２７）であるが、図６がその斜視図であり、縦に２分割したもので、合わせ部分およびホースに接する凹面の部分には防水性弾性体（２８）を貼り合せている。使用方法は図１に示す通り、中に本器を封緘する。筒体の封緘は図７に示す通り、バンドを用いているが、その他の着脱自在の結合手段として、一方を蝶番で結合し、他方を首振り自在のボルト・ナット締めして封緘する方法も考えられる。これによって、高圧洗浄作業中のホースに連結された管外の本器はこの筒体によって噴射孔からの流体物を空中に無駄に放出することがない。なお、本器が管内に入る直前にはこの筒体を解除する。
【図面の簡単な説明】
【００１９】
【図１】頭部に内視機能を有する自在な方向制御装置と連結した本発明の中間ノズルおよび関連器具である封緘筒体を示す全体図である。
【図２】本発明の中間ノズルの断面図である。
【図３】先行技術である特許文献２に示す中間用のノズルの断面図である。
【図４】図１の本発明の中間ノズルが前方に首を振ったときの図である。
【図５】図３のノズルの一部が前方に首を振ったときの図である。
【図６】図１の封緘筒体をふたつに解体したときの斜視図である。
【図７】図１の封緘筒体を着脱自在の結合手段であるバンドで拘束した図である。
【符号の説明】
【００２０】
１      内視機能付方向制御装置
２      第１ノズル
３      ホース
３−１  ホース壁
４      前リューザブル
５      凹状殻体
６      後リューザブル
７      中間ノズル
８      ヘッダー部
９      球状底部
１０    凸状軸体
１１    ノズル孔
１２    オリフィス
１３    通水孔
１４    ホース
１５    ホース継ぎ手
１６    押さえ部材
１７    リングパッキン
１８    外筒
１９    球状部材
２０    半球凹面
２１    首振り孔
２２    ネック部
２３    雄ネジ
２４    通水孔
２５    第１ノズル
２６    後方噴射孔
２７    封緘筒体
２８    防水性弾性体
２９    バンド
【図１】
2005238136.tif 000003
【図２】
2005238136.tif 000004
【図３】
2005238136.tif 000005
【図４】
2005238136.tif 000006
【図５】
2005238136.tif 000007
【図６】
2005238136.tif 000008
【図７】
2005238136.tif 000009